(57)【特許請求の範囲】
【請求項１】
筒状のハウジングと、その筒状のハウジング内に固定されるもので複数の排気穴を形成したエアモータと、前記ハウジングの内壁と前記エアモータの外壁との間に一方を前記排気穴と連絡し他方を外部と連絡する連絡空間とを有する空気回転工具において、前記ハウジングの中心軸を中心として回転可能なものであって一端側の操作部と他端側の嵌合部とを有する筒状のレギュレータを備え、前記レギュレータの前記嵌合部を前記ハウジングの内壁と前記エアモータの外壁との間に挿入し、前記レギュレータの前記操作部を前記ハウジングの外部に露出させ、前記筒状のハウジングの内壁に係止手段を設け、前記レギュレータの前記嵌合部に前記ハウジングに対して所定の回転範囲の回転を許容して前記係止手段と係止する係止手段を設け、前記ハウジングに対する前記レギュレータの回転に応じて前記嵌合部で前記エアモータの前記排気穴を開閉するようにしたことを特徴とする空気回転工具。
【請求項２】
前記ハウジングの内壁に形成される係止手段が突条であり、前記レギュレータに形成される係止手段が切欠であることを特徴とする請求項１記載の空気回転工具。
【請求項３】
前記レギュレータに形成される開閉手段が、前記レギュレータの回転に応じて、前記エアモータの前記排気穴に離間した位置となるへこみ部または切欠と前記エアモータの前記排気穴に接近した位置となる肉厚部とから成ることを特徴とする請求項１記載の空気回転工具。
【請求項４】
前記筒状のレギュレータが、前記ハウジングの内壁と嵌合する嵌合部と前記嵌合部より径大の操作部とを有することを特徴とする請求項１記載の空気回転工具。
【請求項５】
前記エアモータに前記排気穴より小径の低速用排気穴を形成し、前記レギュレータをどの位置に回転させても前記低速用排気穴が常に開いた状態とすることを特徴とする請求項１記載の空気回転工具。
【請求項６】
筒状のハウジングと、その筒状のハウジング内に固定されるもので複数の排気穴を形成したエアモータと、前記ハウジングの内壁と前記エアモータの外壁との間に一方を前記排気穴と連絡し他方を外部と連絡する連絡空間とを有する空気回転工具において、前記ハウジングの中心軸を中心として回転可能なものであって一端側の操作部と他端側の嵌合部とを有する筒状のレギュレータを備え、前記レギュレータの前記嵌合部を前記ハウジングの内壁と前記エアモータの外壁との間に挿入し、前記レギュレータの前記操作部を前記ハウジングの外部に露出させ、前記筒状のハウジングの内壁に係止手段を設け、前記レギュレータの前記嵌合部に前記ハウジングに対して所定の回転範囲の回転を許容して前記係止手段と係止する係止手段を設け、前記レギュレータの回転に応じて前記排気穴から排出される空気量が異なるようにするために前記レギュレータの前記嵌合部に前記排気穴との距離が異なるようにした内壁を形成したことを特徴とする空気回転工具。
【請求項７】
前記ハウジングの内壁に形成される係止手段が突条であり、前記レギュレータに形成される係止手段が切欠であることを特徴とする請求項６記載の空気回転工具。
【請求項８】
前記筒状のレギュレータが、前記ハウジングの内壁と嵌合する嵌合部と前記嵌合部より径大の操作部とを有することを特徴とする請求項６記載の空気回転工具。
【請求項９】
前記レギュレータに形成される内壁が、前記レギュレータの回転の途中において、前記排気穴に相対的に近い距離の同一半径の内壁と前記排気穴に相対的に遠い距離の同一半径の内壁とから成ることを特徴とする請求項６記載の空気回転工具。
【発明の詳細な説明】
【０００１】
【発明の属する技術分野】
本発明は、エアモータを内蔵した空気回転工具に関するものである。
【０００２】
【従来の技術】
従来からラチェットやドリル等の空気回転工具が知られている。空気回転工具はエアモータを内蔵し、エアモータに空気を導入してモータを回転させ、そのモータによってラチェット等の各種工具を回転させるものである。
【０００３】
【発明が解決しようとする課題】
空気回転工具には、エアモータの回転数を変えるために、エアモータに導入する空気量を調整するためのレギュレータが備えられており、しかもこのレギュレータはエアモータへの導入側の空気通路断面を調節するものが一般的である。レギュレータには、空気回転工具とは別体のものと空気回転工具と一体のものとがある。レギュレータが空気回転工具とは別体となっているものでは、空気回転工具を保持する手でレギュレータの操作をすることができないため、片手で空気回転工具の保持とレギュレータの操作とを行うことができないものであった。
【０００４】
レギュレータを空気回転工具に一体に取付けたものにおいても、空気導入量を調節するためのバルブのレバー操作は、空気回転工具を保持する手とは別の手で行わなければならず、片手で空気回転工具の保持とレギュレータの操作とを行うことができないものであった。このように、従来の空気回転工具においては、エアモータの回転数を変える際に、空気回転工具を保持する手とは別の手でレギュレータの操作を行わなければならず、作業性が悪いという欠点があった。
【０００５】
本発明は従来の欠点に鑑みてなされたもので、空気回転工具を保持する手の指で排気量を調整してエアモータの回転数を調節できるようにした空気回転工具を提供することを目的とするものである。
【０００６】
【課題を解決するための手段】
本発明は、筒状のハウジングと、その筒状のハウジング内に固定されるもので複数の排気穴を形成したエアモータと、前記ハウジングの内壁と前記エアモータの外壁との間に一方を前記排気穴と連絡し他方を外部と連絡する連絡空間とを有する空気回転工具において、前記ハウジングの中心軸を中心として回転可能なものであって一端側の操作部と他端側の嵌合部とを有する筒状のレギュレータを備え、前記レギュレータの前記嵌合部を前記ハウジングの内壁と前記エアモータの外壁との間に挿入し、前記レギュレータの前記操作部を前記ハウジングの外部に露出させ、前記筒状のハウジングの内壁に係止手段を設け、前記レギュレータの前記嵌合部に前記ハウジングに対して所定の回転範囲の回転を許容して前記係止手段と係止する係止手段を設け、前記ハウジングに対する前記レギュレータの回転に応じて前記嵌合部で前記エアモータの前記排気穴を開閉するようにしたものである。
【０００７】
本発明はまた、筒状のハウジングと、その筒状のハウジング内に固定されるもので複数の排気穴を形成したエアモータと、前記ハウジングの内壁と前記エアモータの外壁との間に一方を前記排気穴と連絡し他方を外部と連絡する連絡空間とを有する空気回転工具において、前記ハウジングの中心軸を中心として回転可能なものであって一端側の操作部と他端側の嵌合部とを有する筒状のレギュレータを備え、前記レギュレータの前記嵌合部を前記ハウジングの内壁と前記エアモータの外壁との間に挿入し、前記レギュレータの前記操作部を前記ハウジングの外部に露出させ、前記筒状のハウジングの内壁に係止手段を設け、前記レギュレータの前記嵌合部に前記ハウジングに対して所定の回転範囲の回転を許容して前記係止手段と係止する係止手段を設け、前記レギュレータの回転に応じて前記排気穴から排出される空気量が異なるようにするために前記レギュレータの前記嵌合部に前記排気穴との距離が異なるようにした内壁を形成するようにしたものである。
【０００８】
【発明の第一実施形態】
次に本発明を図面に基づいて説明する。
図１は本発明に係る空気回転工具の要部の一実施形態を示す断面図、図２は本発明の空気回転工具に使用するハウジングの斜視図、図３は本発明の空気回転工具に使用するレギュレータの斜視図、図４は図１のＡ−Ａ線断面図、図５は図４の状態よりハウジングに対してレギュレータを回転させた状態を示す断面図である。図１に示すように、空気回転工具１０は、片手で保持するための筒状のハウジング１２と、そのハウジング１２に対して回転可能に嵌合される筒状のレギュレータ１４と、ハウジング１２の内部に収容されそのハウジング１２に固定されるエアモータ１６と、エアモータ１６によって駆動させられるための各種の工具１８とを有する。エアモータ１６については、図１では内部構造を省略した筒状のモータボディ２０のみを示す。筒状のモータボディ２０には、一端が空気を導入するための開口部２２となっており、軸方向の途中における筒状の壁面には内外に通じる排気穴２４が１８０度反対側に２個（円周方向に並んで）ずつ設けられている。ハウジング１２の内壁とモータボディ２０の外壁との間には、排気穴２４と通じる連絡空間２６が形成され、ハウジング１２には連絡空間２６と外部とを連絡する排気孔２８が形成されている。この排気孔２８の位置は、図１ではハウジング１２の側面に形成されているが、ハウジング１２の前部や後部のいずれに設けても良い。
【０００９】
図２に示すように筒状のハウジング１２の内壁には、片方の開口部付近から軸方向に伸びる係止手段としての突条３０が形成されている。この突条３０の側面を第一側面３２ａと第二側面３２ｂとする。この突条３０の軸中心を中心とする円弧角度αは約４５度となっているが、この角度は特に限定するものではない。
【００１０】
図３に示すように、筒状のレギュレータ１４の外壁には、一端側の径大の操作部３４と、他端側の嵌合部３６とを有する。径大の操作部３４と嵌合部３６との間には段部３８が形成されている。レギュレータ１４の嵌合部３６には、ハウジング１２の突条３０と接触する係止手段並びにエアモータ１６の排気穴２４を開く手段としての切欠４０が形成される。レギュレータ１４の嵌合部３６にはまた、切欠４０とは反対側の内壁に、エアモータ１６の排気穴２４を開く手段としてのへこみ部４２が形成される。嵌合部３６において切欠４０やへこみ部４２以外の箇所には、エアモータ１６の排気穴２４を閉じる手段としての肉厚部４４ａ，４４ｂが形成される。この肉厚部４４ａ，４４ｂは、へこみ部４２の深さの部分だけ内壁が内側に埋められ状態の箇所である。嵌合部３６において、切欠４０側の端縁を第一側面４６ａと第二側面４６ｂとする。切欠４０の円弧角度βは、ハウジング１２の突条３０の円弧角度αより充分広い角度にする。この切欠４０の円弧角度βは、図３では約９０度となっているが、この角度は特に限定するものではない。
【００１１】
レギュレータ１４の嵌合部３６の外壁は、筒状のハウジング１２における突条３０を形成した箇所の内壁と丁度嵌合できるように設定されている。レギュレータ１４の嵌合部３６の内壁は、エアモータ１４のモータボディ２０における排気穴２４を形成した位置の外壁と丁度嵌合するように設定されている。
【００１２】
突条３０を形成した側から筒状のハウジング１２の内部に、レギュレータ１４の嵌合部３６を挿入させる。その際に、嵌合部３６の切欠４０をハウジング１２の突条３０に嵌合させる。レギュレータ１４の嵌合部３６をハウジング１２の突条３０側に挿入した際に、段部３８がハウジング１２の先端縁に接触すると、レギュレータ１４のそれ以上の挿入が防止される。即ち、レギュレータ１４の軸方向の径大の操作部３４はハウジング１２の外部に露出した状態となる。レギュレータ１４の嵌合部３６の切欠４０をハウジング１２の突条３０に嵌合させた場合に、レギュレータ１４はハウジング１２に対して（β−α）の角度で回転可能となる。
【００１３】
レギュレータ１４の嵌合部３６の切欠４０をハウジング１２の突条３０に嵌合させた状態において、ハウジング１２に対してレギュレータ１４を両極端の位置まで回転させた状態を図４及び図５に示す。図４は、嵌合部３６の第一側面４６ａを突条３０の第一側面３２ａに接触して係止させた状態である。即ち、この状態では嵌合部３６の第二側面４６ｂは突条３０の第二側面３２ｂとは接触していない状態である。この図４の状態では、モータボディ２０に形成された２個ずつ２箇所の排気穴２４は、一方は嵌合部３６の切欠４０と対向し、他方は嵌合部３６のへこみ部４２に対向している。排気穴２４が切欠４０やへこみ部４２と対向した状態では、排気穴２４は開かれた状態となっている。この結果、排気穴２４から排出される空気は、切欠４０やへこみ部４２を経て、それらと連絡する連絡空間に排出される。
【００１４】
図５は、嵌合部３６の第二側面４６ｂを突条３０の第二側面３２ｂに接触して係止させた状態である。即ち、この状態では嵌合部３６の第一側面４６ａは突条３０の第一側面３２ａとは接触していない状態である。この図５の状態では、モータボディ２０に形成された２個ずつ２箇所の排気穴２４は、それぞれレギュレータ１４の嵌合部３６の肉厚部４４ａ，４４ｂと対向し、肉厚部４４ａ，４４ｂによって閉鎖された状態となる。排気穴２４が嵌合部３６の肉厚部４４ａ，４４ｂで閉鎖されたとしても、モータボディ２０の外径と肉厚部４４ａ，４４ｂ間の内径との嵌め合いの誤差（隙間）があるので、排気穴２４からはその隙間を経て若干の空気が連絡空間２６に排出される。
【００１５】
空気回転工具１０の操作時には、ハウジング１２を片手で保持するが、その際にエアモータ１６の回転数を調節する場合、例えばハウジング１２を保持した手の親指４８（一点鎖線）でレギュレータ１４の操作部３４を回転させる。そのレギュレータ１４を回転させた状態が図４の位置になると、エアモータ１６のモータボディ２０の排気穴２４から排出される空気は、切欠４０やへこみ部４２に排出され、その後連絡空間２６に至り、排気孔１８から外部に排出される。この排出空気量はレギュレータ１４による空気排出量の調節において最大量となり、エアモータ１６の回転数は最大となる。
【００１６】
レギュレータ１４を回転させた状態が図５の位置に回転させられると、エアモータ１６のモータボディ２０の排気穴２４から排出される空気は、レギュレータ１４による調節において最小量となり、エアモータ１６の回転数は最小となる。なお、レギュレータ１４による調節位置が、図４と図５の中間位置では、排出空気量は最大量と最小量の中間の量となり、エアモータ１６の回転数は最大回転数と最小回転数の中間回転数となる。
【００１７】
【発明の第二実施形態】
次に、低速回転時での締め付け力を得たい場合の実施形態を図６に示す。この図６は、図５と同じ回転位置を示すものである。エアモータ１６のモータボディ２０には、前記排気穴２４とは別に、排気穴２４より小径の低速用排気穴５０を形成する。この小径の低速用排気穴５０は、レギュレータ１４がどの位置に回転したとしても、常に閉じられない状態に設定する。これによって、排気穴２４が嵌合部３６の肉厚部４４ａ，４４ｂで閉鎖されたとしても、小径の低速用排気穴５０から空気が連絡空間２６に排出されるので、低速回転時での締め付け力を得ることができる。これは、高速回転時に締め付け力が強くなりすぎないように設定した場合に、低速回転時に締め付け力が弱くなることがあるので、それを防ぐためのものである。
【００１８】
【発明の第三実施形態】
次に、低速回転時での締め付け力を得たい場合の他の実施形態を図７に示す。図７は図５と同じ回転位置を示すものである。図５においては、レギュレータ１４の嵌合部３６の肉厚部４４ａ，４４ｂはモータボディ２０の排気穴２４を閉鎖するものであるが、図７に示す実施形態においてはモータボディ２０の排気穴２４は閉鎖しないようにするものである。図７に示す実施形態では、肉厚部４４ｂにおける排気穴２４との対向位置に、排気穴２４を閉鎖しない深さの浅い低速用へこみ部５２を形成する。低速用へこみ部５２の深さは、へこみ部４２の深さより浅いものとする。即ち、低速用へこみ部５２を形成する内壁（同一半径の内壁）５３と前記排気穴２４の開口部との距離は、へこみ部４２を形成する内壁（同一半径の内壁）４３と前記排気穴２４の開口部との距離よりも短く設定する。レギュレータ１４を図４と同じ位置まで回転させると、モータボディ２０の排気穴２４はレギュレータ１４のへこみ部４２（内壁４３）に対向し、レギュレータ１４を図７の位置まで回転させると、モータボディ２０の排気穴２４はレギュレータ１４の低速用へこみ部５２（内壁５３）に対向する。即ち、レギュレータ１４には排気穴２４との距離が異なる内壁４３，５３を形成する。
【００１９】
レギュレータ１４に形成した低速用へこみ部５２モータボディ２０の排気穴２４と対向させた場合に（図７）、空気は排気穴２４から低速用へこみ部５２に至り、その低速用へこみ部５２からへこみ部４２を経て連絡空間２６に排出されるか、または低速用へこみ部５２から連絡空間２６に直接排出される。この図７に示す実施形態では、肉厚部４４ａ，４４ｂがモータボディ２０の排気穴２４を閉鎖するもの（第一実施形態のもの）と比べて、空気排出量が多くなるので低速回転時での締め付け力を得ることができる。なお、図７では、一方側の肉厚部４４ｂに浅い深さの低速用へこみ部５２（内壁５３）を形成するものを示したが、図示しない肉厚部４４ａにも浅い深さの深さの低速用へこみ部５２（内壁５３）を形成しても良い。
【００２０】
なお、前記第一から第三の実施形態において、ハウジング１２の内壁の係止手段を突条３０とし、レギュレータ１４の係止手段を切欠４０としたが、ハウジング１２の内壁の係止手段を凹部とし、レギュレータ１４の係止手段をその外壁に設ける凸部としても良い。但し、ハウジング１２の内壁の係止手段を突条３０とし、レギュレータ１４の係止手段を切欠４０とする方が、ハウジング１２の直径を小さくすることができる。
更に、前記実施形態においては、レギュレータ１４の嵌合部３６には、ハウジング１２と嵌合するための切欠４０の外にへこみ部４２を設けたが、このへこみ部４２は切欠であっても良い。
また、前記実施形態においては、モータボディ２０に形成する排気穴２４の設置箇所を２箇所で、しかも１箇所に設ける排気穴２４の数を２個とした。しかし、モータボディ２０に形成する排気穴２４の設置箇所を１箇所または３箇所以上とし、１箇所に設ける排気穴２４の数を３個以上としても良い。
【００２１】
更に、第三実施形態においては、排気穴２４と対向するレギュレータ１４の内壁を内壁４３と内壁５３の２種類としたが、排気穴２４と対向するレギュレータ１４の内壁を、レギュレータ１４の回転に伴って排気穴２４との距離が順次増加または減少する形状のものとしても良い。しかし、回転速度の変化が明確に認識できることから、レギュレータ１４の内壁を内壁４３と内壁５３の２種類とするのが望ましい。
【００２２】
【発明の効果】
以上のように、本発明に係る空気回転工具によれば、エアモータの回転数を調節する際に、空気回転工具のハウジングを握る手の指でレギュレータを回転させることができる。よって、従来の空気回転工具のようなエアモータの回転数を調節する際に空気回転工具のハウジングを握る手とは別の手でレギュレータを調節するものと比べて、操作性を格段に向上させることができる。
【図面の簡単な説明】
【図１】本発明に係る空気回転工具の第一実施形態を示す断面図である。
【図２】本発明の空気回転工具に使用するハウジングの斜視図である。
【図３】本発明の空気回転工具に使用するレギュレータの斜視図である。
【図４】図１のＡ−Ａ線断面図である。
【図５】図４の状態よりハウジングに対してレギュレータを回転させた状態を示す断面図である。
【図６】本発明に係る空気回転工具の他の実施形態を示す断面図である。
【図７】本発明に係る空気回転工具の更に他の実施形態を示す断面図である。
【符号の説明】
１０  空気回転工具
１２  ハウジング
１４  レギュレータ
１６  エアモータ
２４  排気穴
２６  連絡空間
３０  突条
３４  操作部
３６  嵌合部
４０  切欠
４２  へこみ部
４３  内壁
４４ａ  肉厚部
４４ｂ  肉厚部
５０  低速用排気穴
５２  低速用へこみ部
５３  内壁
【図１】
0003881251.tif 000002
【図２】
0003881251.tif 000003
【図３】
0003881251.tif 000004
【図４】
0003881251.tif 000005
【図５】
0003881251.tif 000006
【図６】
0003881251.tif 000007
【図７】
0003881251.tif 000008